(57)【要約】【課題】従来、歯列弓を把握する手段はワックス、印象材の使用や、咬合圧はフイルム状検体咬合時の発色の度合いを検知、また電気抵抗変化による薄膜のフイルム状センサ咬合時の歯列の咬合圧の相対値を、リアルタイムで表示等があったが、シュミレーションには不足であり、診断と治療は主として熟練者の経験に委ねられていた。本発明は臨床に容易に応用できる咬合圧測定・調整システムを提供する。【解決手段】咬合圧の相対値をリアルタイムで表示する機器に、歯列の早期接触部位の位置決めと、歯の早期接触部位の印記を実現する咬合調整器具としての機能を付加する。即ち歯型による位置決めにより歯列配置の外郭画像と、咬合頭の咬合圧画像相互の位置関係を一致させ、該合成画像により歯列配置の外郭部位内におけるリアルタイムの歯列咬合頭圧の分布を把握し咬合接触の評価を活用する。【選択図】図１
2005087646.tif 000002
【特許請求の範囲】
【請求項１】
歯科用咬合圧測定センサーシートのセンシングポイントからの圧力値を画像又はデータにて表示・記録する過程を含む歯科用咬合圧測定・調整システムにおいて、
下記構成の咬合圧センサユニット、すなわちセンサシートの咬合部の、裏面又は表面、あるいは裏面及び表面に、クッションシートが剥離自在に着設されたフィルム状センサシートと、同センサシートが装着され、同センサシートを口腔内への挿入を容易にするための馬蹄形ガイド体を前部に備えたセンサシートサポートと、前記馬蹄形ガイド体の内壁部と、上顎又は下顎歯列弓前部の縁の間に印象材を押入し、硬化して、センサシートサポートの馬蹄形ガイド体の内壁部に着接された印象材からなる歯型模型部とから構成した咬合圧測定センサユニットを使用して、
前記センサシートを歯型模型部面を介して歯列弓前部の縁へ安定的に当接して、常にセンサシートを歯牙咬合部の一定位置に配置できるようにして、センサシート部を咬合した時に咬合圧測定センサシートからの圧力分布信号により歯牙配列の外郭を検出するようにしたことを特徴とする咬合圧測定・調整システム。
【請求項２】
センサシート咬合部の表面又は裏面に、印記材を塗布又は、印記用紙を貼付して、生体歯牙又は義歯の咬合頭に印記するようにしたことを特徴とする請求項１に記載の咬合圧測定・調整システム。
【請求項３】
センサシートの咬合部の、裏面又は表面あるいは裏面及び表面に、クッションシートを剥離自在に着設し、歯列配置の外郭を検出できるようにした咬合圧測定・調整システムにおいて、
歯列弓に沿って馬蹄形に形成されたクッションシートは、弾性を有する一枚のシートあるいは、基部に硬弾性を有する薄厚のシートと該薄厚のシート上に積層された軟弾性を有する厚手のシートとからなり、
また、前記クッションシートは、センサシートの表面又は裏面、あるいは裏面及び表面に着設され、咬合時、咬合頭を中心とした直近の咬合面の加圧分布の検出信号はシートの緩衝によって拡大して表示されるため、最初の咬合時、加圧分布の咬合画像から歯列配置の外郭を検出することができることを特徴とする請求項１に記載の咬合圧測定・調整システム。
【請求項４】
センササポートと上顎歯列弓前部の縁に印象材を押入し、硬化して、センササポートに着接した歯型模型を取得し、センサシートを一定位置に挿設できるようにした咬合圧測定・調整システムにおいて、
最初、センサシートを、前記センササポートの馬蹄形基部のセンターが上顎歯列弓前部のセンターに当接するように挿入し、
センササポートと上顎歯列弓前部とが当接する縁に即硬化性の印象材をチューブ等から搾り出して着接、硬化させて、センササポートに着接した前記歯型の形態模型を取得し、
次回以降、前記センサシートを、センササポートに着接した歯型の形態模型に合わせて口腔内に挿入適合させ、前回と同一の設定位置を再現し、位置決めすることができることを特徴とする請求項１〜３のいずれか１項に記載の咬合圧測定・調整システム。
【請求項５】
センサシートの表面に、印記材を塗布又は、印記用紙を貼付して、咬合頭に印記するようにした咬合圧測定・調整システムにおいて、
前記歯列配置の外郭を検出後、センサシートが取り出されて前記クッションシートが剥離された跡に、塗布容器に入った印記材を塗布、又は咬合印記用紙を貼付し、前記咬合圧の測定時、測定と同時に生体歯牙の咬合頭に印記することを特徴とする請求項１〜４のいずれか１項に記載の咬合圧測定・調整システム。
【請求項６】
咬合圧測定・調整システムが、
最初の咬合時、クッションシートを裏面又は表面あるいは裏面及び表面に貼付したセンサシートを用いて、前記咬合圧測定装置によって、その輪郭抽出画像、あるいは同一の淡色による塗りつぶし画像により歯列配置の外郭画像を取得し、表示器に表示及びメモリに記憶蓄積しておき、
一方、前記即硬化性の印象材により取得された歯列弓前部の歯型模型は、センササポートに固着されているため、次回以降のセンサシートの設定時、その歯型に合わせて同一位置に挿入設定できる状態としておき、
次に、一旦上記センサシートを取り出し、前記のクッションシートを剥離して、基本的なセンサシートに戻した後、
前記取得した歯型模型に合わせてセンサシートを位置決めして再度挿入して、被験者にクレンチング及びタッピング運動を行わせて、リアルタイムの咬合頭の咬合接触像を表示器に表示及びメモリに記憶させて記録し、
また、上記咬合頭の咬合接触像の咬合圧の測定記録は、咬合圧測定装置において、前記記憶されている歯列配置の外郭画像との合成画像の作製表示が行われ、
そして、この際の画像合成作業は、前記歯型模型による位置決めにより、歯列配置の外郭画像と、咬合頭の咬合圧画像相互との位置関係が一致しているので容易であり、
また、施術者は、該合成画像により、歯列配置の外郭部位内におけるリアルタイムの歯列咬合頭圧の分布を把握することにより、咬合接触の評価に活用することができることを特徴とする請求項１〜４のいずれか１項に記載の咬合圧測定・調整システム。
【請求項７】
前記歯列咬合圧計測と同時に、前記センサシートの表面に塗布又は貼付された印記材により、生体歯牙又は義歯の咬合頭は印記されるため、
施術者は生体歯牙又は義歯の特定咬合頭部位の切削等の作業を繰り返す際も、
両者を確認しつつ的確に実施できることを特徴とする請求項６に記載の咬合圧測定・調整システム。
【発明の詳細な説明】
【技術分野】
【０００１】
歯科用咬合圧測定装置に係り、特に咬合装置に機材を付加して解析処理を容易にしかつ、確認及び調整が的確にできる機能を付加した咬合圧測定・調整のシステムに関する。
【背景技術】
【０００２】
従来、歯列弓の形状を把握する手段として、ワックスや印象材が使用され、
また、咬合圧を把握する手段として、樹脂フイルム状の検体を咬合したときの圧力による発色の度合いにより分布状態を検知するもの、圧力により電気抵抗が変化する薄膜を印刷した樹脂フイルム状のセンサを咬合した時の全歯列の咬合圧の相対値をリアルタイムで表示するもの（特許第２９０４４９４号公報）等、個々のデーターを取得する手段があった。
【特許文献１】特許第２９０４４９４号公報
【発明の開示】
【発明が解決しようとする課題】
【０００３】
しかしながら、前記の取得データは、治療に先立って具体的なシュミレーションを行うには不充分であり、実際の診断と治療は主として熟練者の経験に委ねられていた。したがって、前記のデータ取得装置は専ら専門の研究医によって使用され、一般の歯科医には普及されていなかった。
現在臨床で行われている咬合調整では、早期接触の有無及び早期接触部位の位置決めの定量的な診査方法がないため、早期接触を咬合調整により取り除いたとしても、その改善を確認する方法がなかった。これは、咬合調整をリアルタイムに記録するシステムが、治療用器具としての機能を備えていないため、臨床に応用できないことに原因があった。
本発明では、咬合圧の相対値をリアルタイムで表示する機器に、歯列における早期接触部位の位置決めと、歯の早期接触部位の印記を実現する咬合調整器具としての機能を付加した咬合圧測定・調整システムを提供する。
【課題を解決するための手段】
【０００４】
上記に鑑み、本発明者等は鋭意実験研究の結果、次の手段によってこの課題を解決した。
（１）歯科用咬合圧測定センサーシートのセンシングポイントからの圧力値を画像又はデータにて表示・記録する過程を含む歯科用咬合圧測定・咬合圧測定・調整システムにおいて、下記構成の咬合圧センサユニット、すなわちセンサシートの咬合部の、裏面又は表面、あるいは裏面及び表面に、クッションシートが剥離自在に着設されたフィルム状センサシートと、同センサシートが装着され、同センサシートを口腔内への挿入を容易にするための馬蹄形ガイド体を前部に備えたセンサシートサポートと、前記馬蹄形ガイド体の内壁部と、上顎又は下顎歯列弓前部の縁の間に印象材を押入し、硬化して、センサシートサポートの馬蹄形ガイド体の内壁部に着接された印象材からなる歯型模型部とから構成した咬合圧測定センサユニットを使用して、前記センサシートを歯型模型部面を介して歯列弓前部の縁へ安定的に当接して、常にセンサシートを歯牙咬合部の一定位置に配置できるようにして、センサシート部を咬合した時に咬合圧測定センサシートからの圧力分布信号により歯牙配列の外郭を検出するようにしたことを特徴とする咬合圧測定・調整システム。
（２）センサシート咬合部の表面又は裏面に、印記材を塗布又は、印記用紙を貼付して、生体歯牙又は義歯の咬合頭に印記するようにしたことを特徴とする前項（１）に記載の咬合圧測定・調整システム。
【０００５】
（３）センサシートの咬合部の、裏面又は表面あるいは裏面及び表面に、クッションシートを剥離自在に着設し、歯列配置の外郭を検出できるようにした咬合圧測定・調整システムにおいて、歯列弓に沿って馬蹄形に形成されたクッションシートは、弾性を有する一枚のシートあるいは、基部に硬弾性を有する薄厚のシートと該薄厚のシート上に積層された軟弾性を有する厚手のシートとからなり、
また、前記クッションシートは、センサシートの表面又は裏面、あるいは裏面及び表面に着設され、咬合時、咬合頭を中心とした直近の咬合面の加圧分布の検出信号はシートの緩衝によって拡大して表示されるため、最初の咬合時、加圧分布の咬合画像から歯列配置の外郭を検出することができることを特徴とする前項（１）に記載の咬合圧測定・調整システム。
【０００６】
（４）センササポートと上顎歯列弓前部の縁に印象材を押入し、硬化して、センササポートに着接した歯型模型を取得し、センサシートを一定位置に挿設できるようにした咬合圧測定・調整システムにおいて、最初、センサシートを、前記センササポートの馬蹄形基部のセンターが上顎歯列弓前部のセンターに当接するように挿入し、センササポートと上顎歯列弓前部とが当接する縁に即硬化性の印象材をチューブ等から搾り出して着接、硬化させて、センササポートに着接した前記歯型の形態模型を取得し、次回以降、前記センサシートを、センササポートに着接した歯型の形態模型に合わせて口腔内に挿入適合させ、前回と同一の設定位置を再現し、位置決めすることができることを特徴とする前項（１）〜（３）のいずれか１項に記載の咬合圧測定・調整システム。
【０００７】
（５）センサシートの表面に、印記材を塗布又は、印記用紙を貼付して、咬合頭に印記するようにした咬合圧測定調整システムにおいて、前記歯列配置の外郭を検出後、センサシートが取り出されて前記クッションシートが剥離された跡に、塗布容器に入った印記材を塗布、又は咬合印記用紙を貼付し、前記咬合圧の測定時、測定と同時に生体歯牙の咬合頭に印記することを特徴とする前項（１）〜（４）のいずれか１項に記載の咬合圧測定・調整システム。
【０００８】
（６）咬合圧測定・調整システムが、最初の咬合時、クッションシートを裏面又は表面あるいは裏面及び表面に貼付したセンサシートを用いて、前記咬合圧測定装置によって、その輪郭抽出画像、あるいは同一の淡色による塗りつぶし画像により歯列配置の外郭画像を取得し、表示器に表示及びメモリに記憶蓄積しておき、
一方、前記即硬化性の印象材により取得された歯列弓前部の歯型模型は、センササポートに固着されているため、次回以降のセンサシートの設定時、その歯型に合わせて同一位置に挿入設定できる状態としておき、次に、一旦上記センサシートを取り出し、前記のクッションシートを剥離して、基本的なセンサシートに戻した後、前記取得した歯型模型に合わせてセンサシートを位置決めして再度挿入して、被験者にクレンチング及びタッピング運動を行わせて、リアルタイムの咬合頭の咬合接触像を表示器に表示及びメモリに記憶させて記録し、
また、上記咬合頭の咬合接触像の咬合圧の測定記録は、咬合圧測定装置において前記記憶されている歯列配置の外郭画像との合成画像の作製表示が行われ、そして、この際の画像合成作業は、前記歯型模型による位置決めにより、歯列配置の外郭画像と、咬合頭の咬合圧画像相互との位置関係が一致しているので容易であり、また、施術者は、該合成画像により、歯列配置の外郭部位内におけるリアルタイムの歯列咬合頭圧の分布を把握することにより、咬合接触の評価に活用することができることを特徴とする前項（１）〜（４）のいずれか１項に記載の咬合圧測定・調整システム。
【０００９】
（７）前記歯列咬合圧計測と同時に、前記センサシートの表面に塗布又は貼付された印記材により、生体歯牙又は義歯の咬合頭は印記されるため、施術者は生体歯牙又は義歯の特定咬合頭部位の切削等の作業を繰り返す際も、両者を確認しつつ的確に実施できることを特徴とする前項（６）に記載の咬合圧測定・調整システム。
【発明の効果】
【００１０】
本発明によれば次のような優れた効果を発揮することができる。
１、本発明の請求項１及び６の発明によれば、
咬合圧を解析するコンピュータによって色彩別のデジタル画像並びにデータとしてリアルタイムで表示・記録される歯科用咬合圧測定・調整システムにおいて、
前記センサシートの咬合部の、裏面又は表面に、あるいは裏面及び表面にクッションシートを剥離自在に着設し、歯列配置の外郭を検出し、また、前記センササポートと上顎歯列弓前部の縁に印象材を押入れ硬化して、センササポートに着接した歯型模型を取得し、挿入センサシートを位置決めするため、
最初の咬合時、クッションシートを前記着設したセンサシートを用いて、前記咬合圧測定装置によって、その輪郭抽出、あるいは淡色の塗りつぶし画像により歯列配置の外郭画像を取得し、表示器に表示及び記憶蓄積しておき、
一方、前記即硬化性の印象材により取得された歯列弓前部の歯型模型は、センササポートに固着されているため、次回以降のセンサシートの設定時、その歯型に合わせて同一位置に挿入設定できる状態とすることができる。
次に、一旦上記センサシートを取り出し、前記のクッションシートを剥離して、基本的なセンサシートに戻し、前記取得した歯型模型に合わせてセンサシートを再度挿入位置決めし、被験者にクレンチング及びタッピング運動を行わせて、リアルタイムの咬合接触像（咬合頭の咬合圧の測定記録）を記録する。
該記録は、前記咬合圧測定装置において歯列咬合頭の色彩別咬合圧画像が表示及びメモリに記憶される。
そして前記記憶されている歯列配置の外郭画像との合成画像を作製表示する。
この画像合成作業は、前記歯型による位置決めにより、歯列配置の外郭画像と、咬合頭の咬合圧画像相互の位置関係が一致しているので容易である。
施術者は、該合成画像により、歯列配置の外郭部位内におけるリアルタイムの歯列咬合頭圧の分布を把握することができ、咬合接触の評価に活用することができる。
【００１１】
２、本発明の請求項２及び７の発明によれば、
請求項１に加えて、センサシート咬合部の表面又は裏面に、印記材を塗布又は、印記用紙を貼付して、生体歯牙又は義歯の咬合頭に印記する手段を備えてなり、
前記歯列咬合圧計測と同時に、センサシートの表面に塗布又は貼付された印記材により、生体歯牙又は義歯の咬合頭は印記されるため、
施術者は生体歯牙又は義歯の特定咬合頭部位の切削等の作業を繰り返す際も、両者を確認しつつ的確に実施することができる。
【００１２】
３、請求項３の発明によれば、
センサシートの咬合部の、裏面又は表面に、クッションシートを剥離自在に着設し、歯列配置の外郭を検出する手段において、歯列弓に沿って馬蹄形に形成されたクッションシートは、弾性を有するシートからなり、センサシートの表面又は裏面に着設され、咬合時、咬合頭を中心とした直近の咬合面の加圧分布の検出信号はシートの緩衝によって拡大して表示されるため、最初の咬合時、加圧分布の咬合画像から歯列配置の外郭を検出することができる。
【００１３】
４、請求項４の発明によれば、
センササポートに着接した歯型模型を取得し、挿入センサシートを同定する位置決め手段において、最初、センサシートを、センササポートの馬蹄形基部センターが上顎歯列弓前部のセンターに当接するように挿入し、センササポートと上顎歯列弓前部とが当接する縁に即硬化性の印象材をチューブ等から搾り出して着接、硬化させて、センササポートに着接した前記歯型の形態模型を取得し、
次回以降、前記センサシートを、センササポートに着接した歯型の形態模型に合わせて口腔内に挿入適合させ、前回と同一の設定位置を再現する位置決めをすることができる。
【００１４】
５、請求項５の発明によれば、
センサシートの表面に、印記材を塗布又は、印記用紙を貼付して、咬合頭に印記する手段において、前記歯列配置の外郭を検出後、センサシートが取り出されて前記クッションシートが剥離された跡に、塗布容器に入った印記材を塗布、又は印記用の咬合印記用紙を貼付し、前記咬合圧の測定時、測定と同時に生体歯牙又は義歯の咬合頭に印記するため、歯列弓生体歯牙又は義歯咬合頭の印記像が得られ対比することができる。
そして、診断に引続いて生体歯牙又は義歯の特定咬合頭部位の切削、研磨等の作業を繰り返す場合、咬合圧画像と比較検討しながら咬合調整を的確に実施することができる。
【００１５】
以上のことから、全部床義歯装着者については、前記の印記材による咬合接触記録から早期接触が確認された場合、
［１］前記表示器の表示及び印記した義歯の人工歯咬合面から早期接触部を確認する。
［２］早期接触部位を前記人工歯牙の特定咬合頭部位の切削、研磨等の作業により、咬合調整を行う。
［３］咬合調整を行った後に前記咬合接触像の記録を行う。
［４］調整後の記録から、Δ面積の減少、干渉時間比（１回のタッピングで咬合圧波形が記録される時間に対するピーク発現の時間の割合）の減少が認められ、標準範囲内であれば調整終了の目安にする。
［５］また、表示される咬合圧の重心の位置ＣＯＦ（Ｃｅｎｔｅｒ  ｏｆ  ｆｏｒｃｅ）により、咬合のバランスが評価できる。
さらに、全顎補綴処置者についても左右及び側方運動時のバランス調整を行うことができる。
【００１６】
部分補綴処置者（単冠装着時）については、
［１］単冠装着前にクレンチング、タッピング及び側方運動の咬合接触記録を行う。
［２］隣接面のコンタクト調整が終了した段階で、咬合接触記録を行う。
［３］早期接触を確認し、前記歯牙の特定咬合頭部位の切削、研磨等の作業により、咬合調整を行う。
［４］調整後の記録から、Δ面積、Ｏｃｃｌｕｓａｌ  Ｃｏｎｔａｃｔ  ｔｉｍｅ、干渉時間比、の増加が認められなければ調整終了の目安にすることができる。
【発明を実施するための最良の形態】
【００１７】
以下発明の実施の形態を図面に基づき説明する。
図１は咬合圧測定・調整システム構成図１である。
図において、１は歯科用咬合圧測定・調整システム、２はセンサシート、３はセンサコネクタ、４はパラレルインターフェイスモジュール、５は電源アダプタ、６はコンピュータ、７は表示器、８はプリンタ、９はセンササポート、１０は印象材チューブ、１０’は印象材、１１は歯型形態模型、１２、１２’はクッションシート、
１５は歯列、１５’は被験者、１６センサシート基部着脱方向、１７センササポート着脱方向、１８はセンサシート咬合部挿入方向、１９、１９’はクッションシート着接方向、２０、２０’はクッションシート剥離方向、２１は信号コード、３９は矢印部を示す。
【００１８】
咬合圧測定・調整システム１の構成は、
歯列１５の加圧力に応じて電気抵抗が変化する薄膜パターンと、該薄膜の上下に一定間隔でマトリクス状に配設されたＸ方向電極及びＹ方向電極と、その交点を個々の圧力検出点となし、全体をフイルム状シートに形成したセンサシート２と、
上記センサシート２の基部を挿入接続し、把持して被験者１５’の口腔内に挿入し、前記センサシート２の各圧力検出点の電気抵抗をデジタル信号に変換してパラレルインターフェイスモジュール４に送信するセンサコネクタ３と、
該送信信号を処理しパラレルポートに送信するパラレルインターフェイスモジュール４と、該パラレルインターフェイスモジュール４に接続される電源アダプタ５と、咬合圧を解析表示するコンピュータ６と、同表示器７と、ハードコピー用プリンタ８並びに、前記センサコネクタ３は、前記センサシート２のガイド兼口腔内挿入を容易にしかつ、挿入後センサシート２を平らな状態に保持する馬蹄形のセンササポート９を、着脱自在に備え、また、前記センサシート２の各圧力検出点からの圧力値が、色彩別のデジタル画像（後記）並びにデータとしてリアルタイムで表示・記録される歯科用咬合圧測定装置１において、
測定前に、前記センサシート２の咬合部の裏面又は表面にクッションシート１２、１２’をクッション着接方向１９’、１９のように着接し、センサシート基部着脱方向１６のように、センササポート９に挿入する。該センササポート９はセンサコネクタ３に挿入されているものとする。
この状態で、施術者は前記センサコネクタ３を把持し、センササポート９の
矢印部３９を、被験者１５’の上顎歯列１５の前面センター（中央の隙間）に合わせて、センサシート２の前記クッションシート１２が着接されている咬合部を前記センササポート９が前歯に当接するまで挿入する。
この時被験者１５’は軽く咬合した状態とする。
そして、前記挿入後、図示したように前記センササポート９の馬蹄形に当接した上顎歯列弓の縁に沿って、即硬化性の印象材１０’を印象材チューブ１０より搾り出して着接し、硬化させると、前記センササポート９に固着された歯型の形態模型１１が得られる。
したがって、次回挿入時には上記歯型の形態模型１１に合わせればセンサシート２を常に一定位置に位置決めすることができる。
【００１９】
次に、歯列１５の配列の外郭を得るため、前記軽く咬合している被験者１５’に強く咬合させる。この際前記クッションシート１２、１２’のシートの緩衝作用により、咬合頭を中心とした直近の咬合面の加圧分布の検出信号は、拡大して表示されるため、最初の咬合時、加圧分布の咬合画像から歯列弓の外郭を検出することができる（後記）。
以上の、位置決め及び歯列弓の外郭画像の取得の次に、咬合頭の圧力分布の取得を行う。
【００２０】
前記咬合頭の圧力分布の取得は、上記の状態で一旦センサシートを取り出し、前記のクッションシート１２、１２’をクッションシート剥離方向２０、２０’のように剥離して基本的なセンサシート２に戻し、前記取得した歯型模型に合わせてセンサシート２を挿入同定し、
被験者１５’にクレンチング及びタッピング運動を行わせて、リアルタイムの咬合接触像を記録する（後記）、
上記咬合頭の咬合圧の測定記録は、前記センサコネクタ３、パラレルインターフェイスモジュール４、電源アダプタ５、コンピュータ６、同表示器７、プリンタ８等からなる咬合圧測定・調整システムにおいて、各歯列咬合頭の色彩別咬合圧画像を表示器に表示及びメモリに記憶される。
そして、前記記憶されている歯列弓の外郭画像との合成画像を作製表示する（後記）が、この際の画像合成作業は、前記歯型による位置決めにより、歯列配置の外郭画像と、咬合頭の咬合圧画像相互の位置関係が一致しているので容易である。  以上のようにして、咬合接触像の記録が行われる。
そして、施術者が前記合成画像により、歯列配置の外郭部位内におけるリアルタイムの歯列咬合頭圧の分布を把握することにより、咬合接触の評価を活用する咬合圧測定・調整システム構成を提供している。
【００２１】
図２は基本的なセンサシート図で、（イ）は正面図、（ロ）は背面図である。
図３はクッションシートを付加した図で、（イ）は正面図、（ロ）は背面図、（ハ）は右側面図である。
図において、２’はクッションシートを付加したセンサシート、３５はＹ方向電極、３６はＹ電極コネクタ、３７はＸ方向電極、３８はＸ電極コネクタを示す。
例えば、Ｙ方向電極３５及びＸ方向電極３７は、加圧力に応じて電気抵抗が変化する圧力感知抵抗型インクをプリントした薄膜を挟んで、電極はフレキシブルプリント回路方法で、導電インクを直接プリントしてもよい。
また、クッションシートは、例えば弾力性のあるシリコンゴムの薄板等が好ましく、また、その片面は、前記センサシート２のフイルム状の表面に付着させるため、粘着性のある軟性組成物を混入又は塗布し、他の片面は、歯列の咬合面に当接するため、粘着性のない硬性組成物を混入又は塗布することが望ましい。
【００２２】
図４は基本的なセンササポート図で、（イ）は正面図、（ロ）は右側面図、（ハ）は下面図である。
図５は歯型模型を付加した図で、（イ）は正面図、（ロ）は右側面図、（ハ）は下面図である。
図において、４０はセンサコネクタへの挿入ガイドバー、４１はセンサシート挿入及び口腔内挿入ガイド、４２はセンサシートの挿入溝を示す。
歯型模型の取得は、図示したように前記センササポート９の馬蹄形に当接した上顎歯列弓の縁に沿って、即硬化性の印象材１０’を印象材チューブ１０より搾り出して着接し、硬化させると、前記センササポート９に固着された歯型の形態模型１１を取得することができる。
【００２３】
図６は、本咬合圧測定・調整システム１のブロック図である。
図において、２２は操作順序の切り替え、２３は歯列弓の外郭画像、２４は歯列弓咬合頭の圧力分布画像、２５は時系列歯列弓咬合頭の圧力分布画像、２６は歯列弓の外郭画像と咬合頭の圧力分布画像との合成画像、２７は歯列弓の外郭画像と時系列咬合頭の圧力分布画像との合成画像、２８はメモリ、３１、３２は同上時系列測定用の咬合、３３、３４は同上時系列の合成画像、ａ・ｂ・ｃ・ｄ・ｅは操作順序を示す。
【００２４】
最初に、操作順序の切り替え２２を操作順序ａにし、
歯列１５の配列（歯列弓の外郭画像２３）を得るため、前記軽く咬合している被検者１５’に強く咬合させる。この際前記クッションシート１２、１２’のシートの緩衝作用により、主咬合頭を中心とした直近の咬合頭の加圧分布の検出信号は拡大され、前記パラレルインターフェイスモジュール４経由コンピュータ６に
よって歯列弓外郭画像２３が得られる。
該歯列弓外郭画像２３は、同表示器７に所定の大きさに表示され、かつメモリ２８に記憶蓄積される。
【００２５】
次に、操作順序の切り替え２２を操作順序ｂにし、咬合頭の圧力分布画像２４の取得を行う。
前記咬合頭の圧力分布画像２４の取得は、上記歯列弓の外郭画像２３を取得した状態で一旦センサシートを取り出し、前記のクッションシート１２、１２’を剥離して基本的なセンサシート２に戻し、
前記センササポート９に固着された歯型の形態模型１１に合わせてセンサシート２を被験者１５’の口腔内に位置決め挿入した後、
被験者１５’に約１５秒間の咬みしめによるクレンチング及び、タッピング運動を行わせて、前記と同様にパラレルインターフェイスモジュール４経由コンピュータ６によって、リアルタイムの歯列弓咬合頭の圧力分布画像２４を取得する。
また、有歯額者では、これらに加えて側方運動も行う。その際、開口量、開口速度は任意とするが、咬みしめはできるだけ強く行う。
なお、側方運動及び咬頭嵌合位でのクレンチングは、１回の咬しめで記録を行い、タッピングは連続して行う。
前記歯列弓咬合頭の圧力分布画像２４は、同表示器７に所定の大きさに表示され、かつメモリ２８に記憶蓄積される。
【００２６】
そして、前記メモリ２８に記憶されている歯列弓の外郭画像２３との合成画像２６を前記コンピュータ６により作製、表示する。
この際の画像合成作業は、前記歯型模型１１による位置決め（図１、図５）によって、歯列弓の外郭画像２３と歯列弓咬合頭の圧力分布画像２４とは、相互の位置関係が一致しているので容易に精度よく行うことができる。
【００２７】
そして、さらに操作順序の切り替え２２を操作順序ｃにし、
前記と同様な手段により前記歯列弓の外郭画像２３と歯列弓咬合頭の圧力分布画像２５との合成画像２７を作製、表示する。
上記合成画像２６あるいは合成画像２７等における時系列歯列弓咬合頭の圧力分布画像２４あるいは２５において、
また、操作順序の切り替え２２を操作順序ｄ、ｅにし、
合成画像上に時系列歯列弓咬合頭の圧力分布画像３３あるいは３４のリアルタイム画像を取得することにより、
前記被検者１５’にクレンチング及びタッピング運動を行わせる際の咬合加圧の条件即ち、初期に接触する咬合頭の咬合圧から、強く咬みしめた時に至るまでの間においてのリアルタイムの変化画像を、施術者は順次メモリー表示しあるいは、プリンタ８によりハードコピーとして取得することにより、咬合接触の評価への活用を図ることができる。
【００２８】
図７は咬合圧測定・調整システム構成図２である。
咬合圧測定・調整システム構成図２は、前述した 咬合圧測定・調整システム構成図１にセンサシート咬合部の表面（表又は裏）に、咬合紙を貼付又は印記材を塗布して、生体歯牙の咬合頭に印記する手段を付加したものである。
図７において、２’’はクッションシートを剥離した跡に咬合紙を貼付又は印記材を塗布した仮想センサシート、１３、１３’は咬合紙、１４は塗布容器、
１４’は印記材、２１，２２は貼付又は塗布方向を示す。
作業は、前記歯型模型１１取得後、センサシート２に着設されているクッションシート１２、１２’をクッションシート２の剥離方向２０、２０’のように  剥離し、その跡に咬合紙１３、１３’を貼付又は、塗布容器１４内の印記材１４’を塗布して行う。
なお、点線のセンサシート２’’は仮想センサシートを示し、基本的にはセンサシート２と本体及び、前記センサコネクタ３に挿入されている位置は同一である。
そして、前記歯列弓の咬合圧計測と同時に、前記センサシート２の表・裏面に貼付された咬合紙１３、１３’又は塗布された印記材１４’により、生体歯牙の咬合頭は印記される（後記）。
したがって、生体歯牙又は義歯における咬合頭部の位置が明確になり、診断に続いて調整のため生体歯牙又は義歯の特定咬合頭部位の切削、研磨等の作業を繰り返す際も、両者を確認しつつ的確に実施することができる。
【００２９】
図８は基本的なセンサシート図で、（イ）は正面図、（ロ）は背面図である。
図９は咬合紙又は印記材の塗布を付加した図で、（イ）は正面図、（ロ）は背面図、（ハ）は右側面図である。
図において、２’’は咬合紙又は印記材の塗布を付加した仮想センサシートを示す。咬合紙１３、１３’は歯科用のもので、その片面は前記フィルム状のセンサシート２に着設又は剥離できるように粘着性を有することが望ましい。
また、色彩は例えば黒、赤、緑、青等でよく、咬合頭部位の切削、研磨等の作業を繰り返し前回の印記が消去されてしまった場合は、剥離して色彩の異なった咬合紙を貼付してもよい。
上記、咬合紙１３、１３’の代わりに印記材１４’を塗布する場合も同様である。
また、印記材は例えば、食材用色素、化粧用色素等をマイクロカプセル化した発色剤を使用したもの等が好ましい。
【００３０】
図１０は、本咬合圧測定・調整システム２のブロック図である。
図において、２９は初回咬合時の歯列弓生体歯牙又は義歯咬合頭の印記像、３０は次回切削作業後の咬合時の歯列弓生体歯牙又は義歯咬合頭の印記像、４３、４４は同上時系列の合成画像及び順次咬合時の歯列弓生体歯牙咬合頭の印記取得工程を示す。
操作順序の切り替え２２は、操作ｂ、ｃ、ｄ、ｅのようにするが、
操作順序の切り替え２２を操作順序ｂにし、歯列弓の外郭画像と咬合頭の圧力分布画像との合成画像２６の取得を行う。
この時同時に前記、初回咬合時の歯列弓生体歯牙又は義歯咬合頭の印記像２９が得られ対比することができる。
次に、前記印記された咬合頭を切削し、切り替え２２を操作順序ｃとし、
前記歯列弓の外郭画像と咬合頭の圧力分布画像との合成画像２７を取得を行う。  この時同時に次回咬合時の歯列弓生体歯牙又は義歯咬合頭の印記像３０が得られ対比することができる。
そして、診断に引続いて生体歯牙又は義歯の特定咬合頭部位の切削、研磨等の作業を繰り返す場合、前記同様に以下操作順序ｄ〜ｅに切り替え両者を比較検討しながら咬合調整を的確に実施することができる。
【００３１】
また、全部床義歯装着者については、前記の印記材１４’による咬合接触記録から早期接触が確認された場合、
［１］前記印記材１４’を表面に吹き付けたセンサシート２’又は、咬合紙１３を貼付したセンサシート２’において、歯牙に印記したために色が抜けている部位と、前記表示器７の表示及び印記した義歯の人工歯咬合面から早期接触部を確認する。
この際、印記が明瞭でない場合は、再度咬みしめを行う。
［２］早期接触部位を前記人工歯牙の特定咬合頭部位の切削、研磨等の作業により、咬合調整を行う。
［３］咬合調整を行った後に前記咬合接触像の記録を行う。
［４］調整後の記録から、Δ面積の減少、干渉時間比の減少が認められ、標準範囲内であれば調整終了の目安にする。
［５］また、表示される咬合圧の重心の位置ＣＯＦにより咬合のバランスが評価できる。
さらに、全顎補綴処置者についても左右及び側方運動時のバランス調整を行うことができる。
【００３２】
部分補綴処置者（単冠装着時）については、
［１］単冠装着前にクレンチング、タッピング及び側方運動の咬合接触記録を行う。
［２］隣接面のコンタクト調整が終了した段階で、咬合接触記録を行う。
［３］早期接触を確認し、前記歯牙の特定咬合頭部位の切削、研磨等の作業により、咬合調整を行う。
［４］調整後の記録から、Δ面積、Ｏｃｃｌｕｓａｌ  Ｃｏｎｔａｃｔ  ｔｉｍｅ、干渉時間比、の増加が認められなければ調整終了の目安にする。
【図面の簡単な説明】
【００３３】
【図１】咬合圧測定・調整システム構成図１
【図２】基本的なセンサシート図
【図３】クッションシートを付加した図
【図４】基本的なセンササポート図
【図５】歯型模型を付加した図
【図６】本咬合圧測定・調整システム１のブロック図
【図７】咬合圧測定・調整システム構成図２
【図８】基本的なセンサシート図
【図９】咬合紙又は印記材の塗布を付加した図
【図１０】本咬合圧測定・調整システム２のブロック図
【符号の説明】
【００３４】
１：歯科用咬合圧測定・調整システム    ２：センサシート
２’：クッションシートを付加したセンサシート
２’’：クッションシートを剥離した跡に咬合紙を貼付又は印記材を塗布した仮想センサシート、
３：センサコネクタ                    ４：パラレルインターフェイスモジュール
５：電源アダプタ                      ６：コンピュータ
７：表示器                            ８：プリンタ
９：センササポート                    １０：印象材チューブ
１０’：印象材                        １１：歯型形態模型
１２、１２’：クッションシート        １３、１３’：咬合紙
１４：塗布容器、１４’は印記材
１５：歯列                            １５’：被験者
１６：センサシート基部着脱方向        １７：センササポート着脱方向
１８：センサシート咬合部挿入方向
１９、１９’：クッションシート着接方向
２０、２０’：クッションシート剥離方向
２１：信号コード                      ２２：操作順序の切り替え
２３：歯列弓の外郭画像                ２４：歯列弓咬合頭の圧力分布画像
２５：時系列歯列弓咬合頭の圧力分布画像
２６：歯列弓の外郭画像と咬合頭の圧力分布画像との合成画像
２７：歯列弓の外郭画像と時系列咬合頭の圧力分布画像との合成画像
２８：メモリ
２９：初回咬合時の歯列弓生体歯牙又は義歯咬合頭の印記像
３０：次回切削作業後の咬合時の歯列弓生体歯牙又は義歯咬合頭の印記像
３１、３２：同上時系列測定用の咬合
３３、３４：同上時系列の合成画像
３５：Ｙ方向電極                      ３６：Ｙ電極コネクタ
３７：Ｘ方向電極                      ３８：Ｘ電極コネクタ
３９：矢印部
４０：センサコネクタへの挿入ガイドバー
４１：センサシート挿入及び口腔内挿入ガイド
４２：センサシートの挿入溝
４３、４４：同上時系列の合成画像及び順次咬合時の歯列弓生体歯牙又は義歯咬合頭の印記取得工程
ａ・ｂ・ｃ・ｄ・ｅ：操作順序
【図１】
2005087646.tif 000003
【図２】
2005087646.tif 000004
【図３】
2005087646.tif 000005
【図４】
2005087646.tif 000006
【図５】
2005087646.tif 000007
【図６】
2005087646.tif 000008
【図７】
2005087646.tif 000009
【図８】
2005087646.tif 000010
【図９】
2005087646.tif 000011
【図１０】
2005087646.tif 000012